(57)【要約】      （修正有）【課題】様々なドア及び柱を挟持して摺動自在であり、身長をより正確に計測することができるとともに、体積が小さく、携帯に便利な身長計を提供する。【解決手段】身長計は、本体１と、光学スケール４０とを含み、本体は、挟持部材１０とヒット部材２０と枢着部材３０とを含み、挟持部材は、第一側壁１００と第二側壁１０１と第三側壁１０２とで挟持溝１０３を形成するように組み立てられ、第一側壁は第一結合部１０４を有し、ヒット部材は第一枢着部２０１を有し、枢着部材は、ヒット部材を第一側壁に枢着するために用いられ、かつ押付け部３０１と第二枢着部３０２と第二結合部３０３とを含み、枢着部材が押し付ける位置まで移動されるとき、押付け部はヒット部材を押し付けてヒット部材と挟持部材とを締結する。光学スケールは本体に設けられる。【選択図】図１
0003188919.tif 000002
【実用新案登録請求の範囲】
【請求項１】
挟持部材とヒット部材と枢着部材とを含み、前記挟持部材は、第一側壁と第二側壁と第三側壁とで挟持溝を形成するように組み立てられ、前記第一側壁は第一結合部を有し、前記ヒット部材は第一枢着部を有し、前記枢着部材は、前記ヒット部材を前記第一側壁に枢着するために用いられ、かつ押付け部と第二枢着部と第二結合部とを含み、前記第二枢着部の一端が前記押付け部に結合し、他端が前記第二結合部に結合し、前記第二枢着部が前記第一枢着部に枢着し、前記第二結合部は前記第一結合部と可動結合し、前記枢着部材が押し付ける位置まで移動されるとき、前記押付け部は前記ヒット部材を押し付けて前記ヒット部材と前記挟持部材とを締結する本体と、
前記本体に設けられている光学スケールと、を含む、
身長計。
【請求項２】
前記第一側壁に壁位置決め部材がさらに設けられ、前記ヒット部材が前記壁位置決め部材に当接するとき、前記ヒット部材が前記第二側壁と直交することを特徴とする請求項１記載の身長計。
【請求項３】
前記ヒット部材に第一位置決め部材がさらに設けられ、前記第二側壁に第二位置決め部材がさらに設けられ、前記第一位置決め部材と前記第二位置決め部材とが、前記ヒット部材が前記第二側壁と直交する時に相互対応して結合されることを特徴とする請求項１記載の身長計。
【請求項４】
二つのパッキンをさらに有し、一方のパッキンは前記挟持部材と前記ヒット部材との間に設けられ、他方のパッキンは前記ヒット部材と前記押付け部との間に設けられていることを特徴とする請求項１記載の身長計。
【請求項５】
前記ヒット部材は第一収納空間をさらに有し、かつ、前記光学スケールは前記第一収納空間に着脱可能に設けられていることを特徴とする請求項１記載の身長計。
【請求項６】
前記挟持部材は第二収納空間をさらに有することを特徴とする請求項１記載の身長計。
【請求項７】
前記光学スケールはレーザスケールであることを特徴とする請求項１記載の身長計。
【考案の詳細な説明】
【技術分野】
【０００１】
本考案は、身長計に係る。特に、本体とスケールとの組み合わせで形成された身長計に関する。
【背景技術】
【０００２】
従来、身長を計測する際には、通常、床上型の身長計を用い、ユーザが身長計の台に立ち、スケールの目盛りを基準目盛りとして足の裏から頭頂部まで約３〜６分計測すれば、正確な身長を得られた。
しかし、上記の身長計は、体積が大きく、価格が高いため、一般家庭には備えられておらず、正確な身長を知りたい場合、病院や身長計が設置されている場所へ計測しに行かなければいけない。
その上、費用がかかる場合もあるため、時間的、経済的に無駄が生ずる不具合がある一方、現在の家庭では、子供の成長に関してどの親も関心が高い。そのため、身長をどのようにして正確に測り、身長計の体積を小さくし、一般の家庭でも使えるようにするかが、現在解決すべき課題である。
【０００３】
以上に鑑みて、本考案者は、長年従事した関連製品の製造開発及び設計の経験によって、上記の目標について詳しく設計し慎重に評価した結果、実用性を確かに備える本考案を成すに至った。
【考案の概要】
【考案が解決しようとする課題】
【０００４】
本考案は、本体と光学スケールとの組み合わせによって、身長を正確に計測することができるとともに、体積が減少し、携帯に便利な特徴を備える身長計を提供することを主な目的とする。
【課題を解決するための手段】
【０００５】
前記の目的を達成するために、本考案に係る身長計は、本体と、光学スケールとを含み、該本体は、挟持部材とヒット部材と枢着部材とを含み、前記挟持部材は、第一側壁と第二側壁と第三側壁とで挟持溝を形成するように組み立てられ、前記第一側壁は第一結合部を有し、前記ヒット部材は第一枢着部を有し、前記枢着部材は、前記ヒット部材を前記第一側壁に枢着するために用いられ、かつ押付け部と第二枢着部と第二結合部とを含み、前記第二枢着部の一端が前記押付け部に結合し、他端が前記第二結合部に結合し、前記第二枢着部が前記第一枢着部に枢着し、前記第二結合部は前記第一結合部と可動結合し、前記枢着部材が押し付ける位置まで移動されるとき、前記押付け部は前記ヒット部材を押し付けて前記ヒット部材と前記挟持部材とを締結し、前記光学スケールは前記本体に設けられている。
【０００６】
前記のような身長計では、前記第一側壁に壁位置決め部材がさらに設けられ、前記ヒット部材が前記壁位置決め部材に当接すると、前記ヒット部材が前記第二側壁と直交する。
【０００７】
前記のような身長計では、前記ヒット部材に第一位置決め部材がさらに設けられ、前記第二側壁に第二位置決め部材がさらに設けられ、前記第一位置決め部材と前記第二位置決め部材とが、前記ヒット部材が前記第二側壁と直交する時に相互対応して結合される。
【０００８】
前記のような身長計は、二つのパッキンをさらに有し、一方のパッキンは前記挟持部材と前記ヒット部材との間に設けられ、他方のパッキンは前記ヒット部材と前記押付け部との間に設けられている。
【０００９】
前記のような身長計では、前記ヒット部材は第一収納空間をさらに有し、かつ、前記光学スケールは前記第一収納空間に着脱可能に設けられている。
【００１０】
前記のような身長計では、前記挟持部材は第二収納空間をさらに有する。
【００１１】
本考案の特徴、特点および技術的内容をより深く理解するために、以下の、本考案に係る詳細な説明および添付図面を参照されたい。なお、前記添付図面は参考や説明のために供されるにすぎず、本考案を限定するものではない。
【図面の簡単な説明】
【００１２】
【図１】本考案に係る身長計の第一実施例を示す外観分解斜視図である。
【図２】本考案に係る身長計の第一実施例を示す側面図である。
【図３】本考案に係る身長計の第一実施例を示す側面図である。
【図４】本考案に係る身長計の第一実施例の使用状態を示す図である。
【図５】本考案に係る身長計の第二実施例を示す外観斜視図である。
【図６】本考案に係る身長計の第三実施例を示す外観斜視図である。
【図７】本考案に係る身長計の第四実施例を示す外観斜視図である。
【図８】図７の破線で示される箇所の部分拡大図である。
【考案を実施するための形態】
【００１３】
図１は、本考案に係る身長計の第一実施例を示す外観分解斜視図であり、図２は、本考案に係る身長計の第一実施例を示す側面図であり、図３は、本考案に係る身長計の第一実施例を示す側面図である。
図１を参照する。本考案の身長計は、本体１と、光学スケール４０とを含む。該本体１は、挟持部材１０とヒット部材２０と枢着部材３０と記録表６０とを含む。ここで、挟持部材１０は、第一側壁１００と第二側壁１０１と第三側壁１０２とで挟持溝１０３を形成するように組み立てられ、第一側壁１００は第一結合部１０４を有する。
ヒット部材２０は第一枢着部２０１を有する。枢着部材３０はヒット部材２０を第一側壁１００に枢着するために用いられ、かつ、押付け部３１０と第二枢着部３０２と第二結合部３０３とを含み、第二枢着部３０２の一端が押付け部３０１に結合し、他端が第二結合部３０３に結合し、第二枢着部３０２が第一枢着部２０１に枢着し、第二結合部３０３は第一結合部１０４と可動結合し、枢着部材３０が押付け位置まで移動されるとき、押付け部３０１はヒット部材２０を押し付けてヒット部材２０と挟持部材１０とを締結する。光学スケール４０は本体１に設けられている。
【００１４】
挟持部材１０とヒット部材２０との間にパッキン５０が設けられ、ヒット部材２０と押付け部３０１との間にもパッキン５０が設けられている。第一側壁１００に第二収納空間１０５が設けられ、記録表６０は第二収納空間１０５に着脱可能に設けられている。
【００１５】
図４は、本考案に係る身長計の第一実施例の使用状態を示す図である。
図４を参照する。本実施例では、実操作の際に、まず、ユーザは第一側壁１００と第二側壁１０１と第三側壁１０２とで組み立てられた挟持溝１０３を用いてドア７０を挟持しておく。
次に、ヒット部材２０を第二側壁１０１と直交するように水平位置まで回動させ、そして、ドア７０に挟持部材１０を上下動調整し、ヒット部材２０が被計測者の頭頂部に当った後、枢着部材３０を回して押付け部３０１がヒット部材２０を押し付けるまで移動させ、ヒット部材２０と挟持部材１０とを締結する。
最後に、締結後、光学スケール４０（本実施例では、光学スケール４０がレーザスケールである）をオンし、被計測者の頭頂部から床までの距離で光源を発射し、さらに当該光源が光学スケール４０まで反射されれば、被計測者の正確な身長を得られる。また、第一側壁１００の第二収納空間１０５に設けられた記録計６０は、毎回の計測数値を記録するために用いられる。この操作方法は、簡単便利でありながら様々なドア７０及び柱に適用することができ、身長計の体積が小さく携帯に便利であるため、好適な利便性を備える。
【００１６】
下記の説明における便宜のために、図５〜図８に示される身長計では、第一実施例と同じ構造について、図１、図２、図３及び図４と同じ符号で示し、かつ繰り返して説明しない。
【００１７】
図４は、本考案に係る身長計の第一実施例の使用状態を示す図であり、図５は、本考案に係る身長計の第二実施例を示す外観斜視図である。
図５を参照する。本実施例の操作方法は上記の第一実施例と同じであるが（図４参照）、ヒット部材２０に第一収納空間２０２が設けられ、光学スケール４０（本実施例では、光学スケール４０がレーザスケールである）が第一収納空間２０２内に配置し、かつ、光学スケール４０を個別に取り出して他の場所に用いてもよい点で異なっている。
【００１８】
図１は、本考案に係る身長計の第一実施例を示す外観分解斜視図であり、図２は、本考案に係る身長計の第一実施例を示す側面図であり、図３は、本考案に係る身長計の第一実施例を示す側面図であり、図６は、本考案に係る身長計の第三実施例を示す外観斜視図である。
図６を参照する。本考案の身長計は、本体１と、光学スケール４０とを含む。該本体１は、挟持部材１０とヒット部材２０と枢着部材３０と記録表６０とを含む。ここで、挟持部材１０は、第一側壁１００と第二側壁１０１と第三側壁１０２とで挟持溝１０３を形成するように組み立てられ、第一側壁１００は第一結合部１０４と壁位置決め部材１０６とを有する。ヒット部材２０は第一枢着部２０１を有する。
枢着部材３０はヒット部材２０を第一側壁１００に枢着するために用いられ、かつ、押付け部３１０と第二枢着部３０２と第二結合部３０３とを含み、第二枢着部３０２の一端が押付け部３０１に結合し、他端が第二結合部３０３に結合し、第二枢着部３０２が第一枢着部２０１に枢着し、第二結合部３０３は第一結合部１０４と可動結合し、枢着部材３０が押付け位置まで移動されるとき、押付け部３０１はヒット部材２０を押し付けてヒット部材２０と挟持部材１０とを締結する（図２及び図３を同時に参照する）。光学スケール４０は本体１に設けられている。
【００１９】
挟持部材１０とヒット部材２０との間にパッキン５０が設けられ、ヒット部材２０と押付け部３０１との間にもパッキン５０が設けられている。第一側壁１００に第二収納空間１０５が設けられ、記録表６０は第二収納空間１０５に着脱可能に設けられている。
【００２０】
図４は、本考案に係る身長計の第一実施例の使用状態を示す図である。図６は、本考案に係る身長計の第三実施例を示す外観斜視図である。
図６を参照する。本実施例では、実操作の際に（図４も参照）、まず、ユーザは第一側壁１００と第二側壁１０１と第三側壁１０２とで組み立てられた挟持溝１０３を用いてドア７０を挟持しておく。次に、ヒット部材２０を第一側壁１００の壁位置決め部材１０６まで回動させる。この時に、ヒット部材２０は壁位置決め部材１０６によって位置決めされ第二側壁１０１と直交するようになる（図６参照）。そして、ドア７０に挟持部材１０を上下動調整し、ヒット部材２０が被計測者の頭頂部に当った後、枢着部材３０を回して押付け部３０１がヒット部材２０を押し付けるまで移動させ、ヒット部材２０と挟持部材１０とを締結する。最後に、締結後、光学スケール４０（本実施例では、光学スケール４０がレーザスケールである）をオンし、光学スケール４０の発射口から床まで光源を発射し、さらに当該光源が光学スケール４０まで反射されると、光学スケール４０の発射口から被計測者の頭頂部までの補完値を加えることで、被計測者の正確な身長が得られる。
また、第一側壁１００の第二収納空間１０５に設けられた記録計６０は、毎回の計測数値を記録するために用いられる。この操作方法は、簡単便利でありながら様々なドア７０及び柱に適用することができ、身長計の体積が小さく携帯に便利であるため、好適な利便性を備える。
【００２１】
さらに、図１は、本考案に係る身長計の第一実施例を示す外観分解斜視図であり、図２は、本考案に係る身長計の第一実施例を示す側面図であり、図３は、本考案に係る身長計の第一実施例を示す側面図であり、図７は、本考案に係る身長計の第四実施例を示す外観斜視図であり、図８は、図７の破線で示される箇所の部分拡大図である。
図７を参照する。本考案の身長計は、本体１と、光学スケール４０とを含む。該本体１は、挟持部材１０とヒット部材２０と枢着部材３０と記録表６０とを含む。ここで、挟持部材１０は、第一側壁１００と第二側壁１０１と第三側壁１０２とで挟持溝１０３を形成するように組み立てられ、第一側壁１００は第一結合部１０４を有する。
ヒット部材２０は第一枢着部２０１を有する。枢着部材３０はヒット部材２０を第一側壁１００に枢着するために用いられ、かつ、押付け部３１０と第二枢着部３０２と第二結合部３０３とを含み、第二枢着部３０２の一端が押付け部３０１に結合し、他端が第二結合部３０３に結合し、第二枢着部３０２が第一枢着部２０１に枢着し、第二結合部３０３は第一結合部１０４と可動結合し、枢着部材３０が押付け位置まで移動されるとき、押付け部３０１はヒット部材２０を押し付けてヒット部材２０と挟持部材１０とを締結する（図２及び図３を同時に参照する）。光学スケール４０は本体１に設けられている。
【００２２】
挟持部材１０とヒット部材２０との間にパッキン５０が設けられ、ヒット部材２０と押付け部３０１との間にもパッキン５０が設けられている。第一側壁１００に第二収納空間１０５が設けられ、記録表６０は第二収納空間１０５に着脱可能に設けられている。ヒット部材２０に第一位置決め部材２０３が設けられ、第一側壁１００に第二位置決め部材１０７が設けられ、第一位置決め部材２０３と第二位置決め部材１０７とが、ヒット部材２０が第二側壁１０１と直交する時に相互対応して結合されている（図８参照）。
【００２３】
図４は、本考案に係る身長計の第一実施例の使用状態を示す図である。図７は、本考案に係る身長計の第四実施例を示す外観斜視図であり、図８は、図７の破線で示される箇所の部分拡大図である。
図７を参照する。本実施例では、実操作の際に（図４も参照）、まず、ユーザは第一側壁１００と第二側壁１０１と第三側壁１０２とで組み立てられた挟持溝１０３を用いてドア７０を挟持しておく。次に、ヒット部材２０を第一位置決め部材２０３と第一側壁１００の第二位置決め部材１０７とが相互対応して結合されるまで回動させる。この時、ヒット部材２０は、第一位置決め部材２０３と第二位置決め部材１０７との結合によって位置決めされ第二側壁１０１と直交するようになる（図８も参照）。
そして、ドア７０に挟持部材１０を上下動調整し、ヒット部材２０が被計測者の頭頂部に当った後、枢着部材３０を回して押付け部３０１がヒット部材２０を押し付けるまで移動させ、ヒット部材２０と挟持部材１０とを締結する。最後に、締結後、光学スケール４０（本実施例では、光学スケール４０がレーザスケールである）をオンし、光学スケール４０の発射口から床まで光源を発射し、さらに当該光源が光学スケール４０まで反射されると、光学スケール４０の発射口から被計測者の頭頂部までの補完値を加えれば、被計測者の正確な身長を得られる。
また、第一側壁１００の第二収納空間１０５に設けられた記録計６０は、毎回の計測数値を記録するために用いられる。この操作方法は、簡単便利でありながら様々なドア７０及び柱に適用することができ、身長計の体積が小さく携帯に便利であるため、好適な利便性を備える。
【００２４】
上記の詳細な説明から、当該技術を熟知する当業者は、本考案が前記の目的を確かに達成できることが理解できるはずである。本願は法定の要件を満しているため、法に従って出願する。以上は、単に本考案の好ましい実施例にすぎず、本考案の実用新案登録請求の範囲を限定するものではなく、いずれの本考案の明細書および図面の内容によって実施した等価な変形も、本考案の主張範囲内に納入されるべきことは言うまでもない。
【符号の説明】
【００２５】
１      本体
１０    挟持部材
２０    ヒット部材
３０    枢着部材
４０    光学スケール
５０    パッキン
６０    記録表
７０    ドア
１００  第一側壁
１０１  第二側壁
１０２  第三側壁
１０３  挟持溝
１０４  第一結合部
１０５  第二収納空間
１０６  壁位置決め部材
１０７  第二位置決め部材
２０１  第一枢着部
２０２  第一収納空間
２０３  第一位置決め部材
３０１  押付け部
３０２  第二枢着部
３０３  第二結合部
【図１】
0003188919.tif 000003
【図２】
0003188919.tif 000004
【図３】
0003188919.tif 000005
【図４】
0003188919.tif 000006
【図５】
0003188919.tif 000007
【図６】
0003188919.tif 000008
【図７】
0003188919.tif 000009
【図８】
0003188919.tif 000010